(57)【要約】【課題】  組立家具の構造、組立工程が簡単で所望の強度を確保できるようにする。【解決手段】  １乃至複数の嵌合孔１１を有する１乃至複数の板状部材１と、板状部材１の嵌合孔１１より大きい嵌合孔２１を有する１乃至複数の板状の補強板部材２と、先端に連続して、板状部材１の板厚ｔ１に対応する高さで板状部材１の嵌合孔１１に対応する断面形状を有する第１嵌合部と、補強板部材２の板厚ｔ２に対応する高さで補強板部材２の嵌合孔２１に対応する断面形状を有する第２嵌合部からなる２段の嵌合部が設けられた１乃至複数の柱状部材３とを少なくとも備え、柱状部材３の先端に板状部材１の嵌合孔１１を嵌合し連結して組み立てる。【選択図】      図１
2005218738.tif 000002
【特許請求の範囲】
【請求項１】
柱状部材の先端に板状部材の嵌合孔を嵌合し連結して組み立てる組立家具であって、
１乃至複数の嵌合孔を有する１乃至複数の板状部材と、
前記板状部材の嵌合孔より大きい嵌合孔を有する１乃至複数の板状の補強板部材と、
先端に連続して、前記板状部材の板厚に対応する高さで前記板状部材の嵌合孔に対応する断面形状を有する第１嵌合部と、前記補強板部材の板厚に対応する高さで前記補強板部材の嵌合孔に対応する断面形状を有する第２嵌合部からなる２段の嵌合部が設けられた１乃至複数の柱状部材と
を少なくとも備えたことを特徴とする組立家具。
【請求項２】
柱状部材の先端に板状部材の嵌合孔を嵌合し連結して組み立てる組立家具であって、前記柱状部材は、前記嵌合する先端に連続して、前記板状部材の板厚に対応する高さで前記板状部材の嵌合孔に対応する断面形状を有する第１嵌合部と、補強板部材の板厚に対応する高さで前記板状部材の嵌合孔より大きい断面形状を有する第２嵌合部からなる２段の嵌合部を備え、前記柱状部材に対して、前記第２嵌合部で前記板状部材の嵌合孔より大きい断面形状に対応する嵌合孔を設けた前記補強板部材を嵌合し、前記第１嵌合部で前記板状部材を嵌合し連結していることを特徴とする組立家具。
【請求項３】
前記第１嵌合部の断面形状より前記板状部材の嵌合孔を大きくして隙間を設け、前記隙間に打ち込む勘合補強管を備え、前記勘合補強管は、前記隙間に対応する肉厚と前記柱状部材の前記第１嵌合部の断面形状に対応した内径断面を有するものあることを特徴とする請求項１乃至２のいずれかに記載の組立家具。
【請求項４】
前記補強板部材の側面から前記柱状部材の第２嵌合部に達するまで打ち込むビスを備えたことを特徴とする請求項１乃至３のいずれかに記載の組立家具。
【請求項５】
柱状部材の先端に板状部材の嵌合孔を嵌合し連結して組み立てる組立家具の連結方法であって、前記柱状部材の先端に、前記板状部材の板厚に対応する高さで前記板状部材の嵌合孔に対応する断面形状を有する第１嵌合部と、前記補強板部材の板厚に対応する高さで前記補強板部材の嵌合孔に対応する断面形状を有する第２嵌合部とを連続して設け、前記第２嵌合部で前記板状部材の嵌合孔より大きい嵌合孔を有し前記柱状部材の断面形状より大きい板状の補強板部材を嵌合し、前記第１嵌合部で前記板状部材を嵌合し連結することを特徴とする組立家具の連結方法。
【請求項６】
前記第１嵌合部の断面形状より前記板状部材の嵌合孔を大きくして隙間を設け、該隙間に対応する肉厚と前記柱状部材の前記第１嵌合部の断面形状に対応した内径断面の勘合補強管を前記隙間に打ち込むことを特徴とする請求項５に記載の組立家具の連結方法。
【請求項７】
前記補強板部材の側面から前記柱状部材の第２嵌合部に達するビスを打ち込むことを特徴とする請求項５乃至６のいずれかに記載の組立家具の連結方法。
【発明の詳細な説明】
【技術分野】
【０００１】
本発明は、柱状部材の先端に板状部材の嵌合孔を嵌合し連結して組み立てる組立家具及び組立家具の連結方法に関する。
【背景技術】
【０００２】
図５はテーブルの組立、補強例を示す図、図６は椅子の組立、補強例を示す図であり、３１、４１は上面板、３２、４２は脚部、３３、４３は補強桟を示す。椅子や机、棚などの組立家具では、その接続面に凸部（ダボ）と穴を形成して嵌合し、さらにスクリューボルト、ナットを用いて固定し、例えば図５及び図６に示すように４本の脚部３２、４２のそれぞれ隣同士に水平、たすき掛け、あるいは斜めに補強桟３３、４３を張ることにより、ぐらつきがでない組立家具の接続を行うようにしている（例えば、特許文献１、２、３参照）。
【特許文献１】特開平７−２０８４１９号公報
【特許文献２】特開平１１−２８７０３号公報
【発明の開示】
【発明が解決しようとする課題】
【０００３】
組立家具では、上記のように凸部（ダボ）と穴の形成、スクリューボルト、ナットによる固定、補強桟３３、４３によるぐらつきの防止など、ぐらつき防止、補強のため構造が煩雑で組立の工程数も多く、コストも高くなるなどの問題を有している。
【課題を解決するための手段】
【０００４】
本発明は、上記課題を解決するものであって、組立家具の構造、組立工程が簡単で所望の強度を確保できるようにするものである。
【０００５】
そのために本発明は、柱状部材の先端に板状部材の嵌合孔を嵌合し連結して組み立てる組立家具及び組立家具の連結方法として、１乃至複数の嵌合孔を有する１乃至複数の板状部材と、前記板状部材の嵌合孔より大きい嵌合孔を有する１乃至複数の板状の補強板部材と、先端に連続して、前記板状部材の板厚に対応する高さで前記板状部材の嵌合孔に対応する断面形状を有する第１嵌合部と、前記補強板部材の板厚に対応する高さで前記補強板部材の嵌合孔に対応する断面形状を有する第２嵌合部からなる２段の嵌合部が設けられた１乃至複数の柱状部材とを少なくとも備えたことを特徴とし、また、前記柱状部材は、前記嵌合する先端に連続して、前記板状部材の板厚に対応する高さで前記板状部材の嵌合孔に対応する断面形状を有する第１嵌合部と、補強板部材の板厚に対応する高さで前記板状部材の嵌合孔より大きい断面形状を有する第２嵌合部からなる２段の嵌合部を備え、前記柱状部材に対して、前記第２嵌合部で前記板状部材の嵌合孔より大きい断面形状に対応する嵌合孔を設けた前記補強板部材を嵌合し、前記第１嵌合部で前記板状部材を嵌合し連結していることを特徴とする。
【０００６】
さらに、前記第１嵌合部の断面形状より前記板状部材の嵌合孔を大きくして隙間を設け、前記隙間に打ち込む勘合補強管を備え、前記勘合補強管は、前記隙間に対応する肉厚と前記柱状部材の前記第１嵌合部の断面形状に対応した内径断面を有するものであることを特徴とし、前記補強板部材の側面から前記柱状部材の第２嵌合部に達するまで打ち込むビスを備えたことを特徴とする。
【発明の効果】
【０００７】
本発明によれば、柱状部材に対して、連続する第１嵌合部、第２嵌合部により補強板部材を嵌合した第２嵌合部の上に第１嵌合部で板状部材を嵌合するので、柱状部材と板状部材の嵌合孔、補強板部材の嵌合孔それぞれとの連結、板状部材と補強板部材との重ね合わせ、段差部での固定効果により簡単な嵌合、連結操作だけで、ぐらつきを防止することができ、構造、組立工程が簡単で所望の強度を確保できる。
【発明を実施するための最良の形態】
【０００８】
以下、本発明の実施の形態を図面を参照しつつ説明する。図１は本発明に係る組立家具の実施の形態を説明する図であり、１は板状部材、２は補強板部材、３は柱状部材、１１、２１は嵌合孔を示す。
【０００９】
図１において、板状部材１は、机やテーブルの天板を構成するものであり、嵌合孔１１を有する。補強板部材２は、板状部材の嵌合孔より大きい嵌合孔２１を有するものである。柱状部材３は、机やテーブルの脚部を構成するものであり、先端に連続して、板状部材１の板厚ｔ１に対応する高さで板状部材１の嵌合孔１１に対応する断面形状を有する第１嵌合部と、補強板部材２の板厚ｔ２に対応する高さで補強板部材２の嵌合孔２１に対応する断面形状を有する第２嵌合部からなる２段の嵌合部を設けたものである。
【００１０】
机やテーブルの天板を構成する板状部材１と机やテーブルの脚部を構成する柱状部材３との連結は、柱状部材３に対して、まず第２嵌合部で板状部材１の嵌合孔１１より大きい断面形状に対応する嵌合孔２２を設けた補強板部材２を嵌合し、その上の第１嵌合部で板状部材１を嵌合する。ここで、補強板部材２は、柱状部材３と第２嵌合部で嵌合孔２１で固定されると同時に、下面で第２嵌合部の段差に面して固定される。同様に、板状部材１は、柱状部材３と第１嵌合部で嵌合孔１１で固定されると同時に、下面で第１嵌合部の段差に面して固定され、さらに補強板部材２の上面に接して固定される。
【００１１】
柱状部材３の第１嵌合部及び第２嵌合部は、段階的に２段に所定の断面形状となるように段差を設けるので、例えば切削で簡単に加工できる。嵌合孔は、この１段の第１嵌合部及び第２嵌合部に対応して１枚板にする加工と、それぞれの嵌合孔をそれぞれ別々の板状部材１と補強板部材２にする加工では、後者の方が簡単にでき、しかも仕上がり精度を上げることもできる。
【００１２】
図２は本発明に係る組立家具の連結固定手段を有する他の実施の形態を説明する図、図３は本発明に係る組立家具の連結固定手段を有する他の実施の形態を説明する図であり、４は勘合補強管、５は固定用ビスを示す。上記実施の形態は、柱状部材３に補強板部材２、板状部材１を順に嵌合するだけで連結するものであるが、連結による固定具合をより強固にするための補強手段として、勘合補強管４を採用した他の実施の形態を示したのが図２であり、固定用ビスを採用した他の実施の形態を示したのが図３である。
【００１３】
図２において、勘合補強管４は、柱状部材３の第１嵌合部の断面形状に対応した内径断面の例えば金属製のパイプであり、板状部材１は、嵌合孔１１を柱状部材３の第１嵌合部の断面形状より勘合補強管４の肉厚分だけ大きくして隙間を設け、柱状部材３に補強板部材２、板状部材１を順に嵌合した後、その隙間に勘合補強管４を打ち込むものである。勘合補強管４の打ち込みは、例えば勘合補強管４の頭部に当て木を当てて、その当て木の上から木槌や金槌で叩くことにより、柱状部材３の上面に傷を付けないようにすることができる。また、金属製の勘合補強管４は、補強のみならず、併せて意匠目的としても利用することができる。
【００１４】
また、板状部材１、柱状部材３、勘合補強管４との関係において、勘合補強管４の肉厚に対し、板状部材１の嵌合孔１１と柱状部材３の第１嵌合部との隙間を小さめにし、先端部をテーパ状にやや尖らせて薄くした勘合補強管４を打ち込むようにすると、柱状部材３の第１嵌合部と板状部材１との間を楔効果により固定をより強固にすることができる。さらに、勘合補強管４を板状部材１の板厚ｔ１より長くすると、勘合補強管４の先端は、図２（Ｂ）の“イ”に示すように柱状部材３の第１嵌合部と第２嵌合部との間の段部に打ち込まれるので、柱状部材３の第１嵌合部と板状部材１との間だけでなく、柱状部材３の第２嵌合部と補強板部材２との間も同時に楔効果により固定をより強固にすることができる。
【００１５】
図３において、固定用ビス５は、クギや木ねじ、スクリューボルト・埋め込みナットなどからなり、補強板部材２の側面から柱状部材３の第２嵌合部に達するまで打ち込み、補強板部材２を柱状部材３により強固に固定するものである。柱状部材３の第２嵌合部に対して補強板部材２の固定が強固になると、板状部材１が補強板部材２の上面でしっかり固定されることになる。
【００１６】
図４は本発明に係る組立家具の他の実施の形態を示す図であり、１′は板状部材、２′は補強板部材、３′は柱状部材、１１′は嵌合孔を示し、ベンチの下側から見た図で示している。図４に示すように例えば丸太を半分に割って並べた板状部材１′をベンチにし、長手方向に長尺の板を補強板部材２′として所定の間隔で柱状部材３′からなる脚部を嵌合孔１１′で嵌合し連結してもよい。この場合、同じ長さの複数の板状部材１′、補強板部材２′を互い違いにずらして並べ、柱状部材３に板状部材１′、補強板部材２′を嵌合し連結すると、板状部材１′、補強板部材２′の長さより数倍長いベンチを組み立てることができる。
【００１７】
なお、本発明は、上記実施の形態に限定されるものではなく、種々の変形が可能である。例えば上記実施の形態では、柱状部材として角材を用いた組立家具を示したが、柱状部材として断面形状が丸、長円、多角形、その他各種形状のもっであってもよいし、同様に、嵌合部における断面形状、嵌合孔も矩形ではなく、丸、長円、多角形、その他各種形状のもっであってもよい。また、嵌合補強管として金属製のパイプを用いたが、合成樹脂製のものを用いてもよい。
【図面の簡単な説明】
【００１８】
【図１】本発明に係る組立家具の実施の形態を説明する図である。
【図２】本発明に係る組立家具の連結固定手段を有する他の実施の形態を説明する図である。
【図３】本発明に係る組立家具の連結固定手段を有する他の実施の形態を説明する図である。
【図４】本発明に係る組立家具の他の実施の形態を示す図である。
【図５】テーブルの組立、補強例を示す図である。
【図６】椅子の組立、補強例を示す図である。
【符号の説明】
【００１９】
１…板状部材、２…補強板部材、３…柱状部材、１１、２１…嵌合孔
【図１】
2005218738.tif 000003
【図２】
2005218738.tif 000004
【図３】
2005218738.tif 000005
【図４】
2005218738.tif 000006
【図５】
2005218738.tif 000007
【図６】
2005218738.tif 000008